(57)【要約】【課題】  部品点数と組立工数とを削減してコスト低減を図り、引き上げ索条にワンタッチ操作で簡単に取り付けることができる水洗トイレ用節水具を提供する。【解決手段】中央部の索条通過口８から外周に達するスリット９を有する節水具本体１と、中央部の索条通過口１７から外周に達するスリット１９を有して節水具本体１の上面に重ね合わせ状態に結合された補助部材２とを備える。補助部材２に、引き上げ索条３４のスリット１９から索条通過口１７内への導入を許容し、且つ索条通過口１７からスリット１９への脱出を阻止する、先端が自由端となった弾性抜け止め片２１が一体形成されている。補助部材２の下方へ延出する複数本の弾性係止爪部２０が節水具本体１の対応する各係止孔１０に対し上方から挿通されて、各弾性係止爪部２０の下縁が係止孔１０に係止していることにより、節水具本体１に補助部材２が結合されている。【選択図】  図１
2005200896.tif 000002
【特許請求の範囲】
【請求項１】
水タンク内の排水口を開閉するゴムフロート弁に連結される引き上げ索条に取り付けて、前記ゴムフロート弁の閉じるタイミングを早める水洗トイレ用節水具において、
中央部に索条通過口を有するとともに、この索条通過口から外周に達するスリットが設けられた節水具本体と、
前記節水具本体の上面に重ね合わされて前記節水具本体に結合され、中央部に前記索条通過口に対応する索条通過口を有するとともに、前記スリットに対応して前記索条通過口から外周に達するスリットが設けられた補助部材とを備え、
前記補助部材に、前記引き上げ索条の前記スリットから前記索条通過口内への導入を許容し、且つ前記索条通過口から前記スリットへの脱出を阻止する、先端が自由端となった弾性抜け止め片が一体形成され、
前記補助部材に、下方へ延出する複数本の弾性係止爪部が一体形成されているとともに、前記節水具本体に、前記各弾性係止爪部に対応して複数の係止孔が設けられ、
前記各弾性係止爪部が対応する前記各係止孔に対し上方からそれぞれ挿通されて、その各弾性係止爪部が前記係止孔に弾性係合していることにより、前記節水具本体に前記補助部材が結合されていることを特徴とする水洗トイレ用節水具。
【請求項２】
水タンク内の排水口を開閉するゴムフロート弁に連結される引き上げ索条に取り付けて、前記ゴムフロート弁の閉じるタイミングを早める水洗トイレ用節水具において、
中央部に索条通過口が、この索条通過口から外周に達するスリットが、それぞれ前記索条が長手方向およびこれに直角な方向のいずれにも遊びを持って通過する大きさで設けられた節水具本体と、
前記節水具本体の上面に重ね合わされて前記節水具本体に結合され、中央部に前記索条通過口に対応する索条通過口を有するとともに、前記スリットに対応して前記索条通過口から外周に達するスリットが設けられた補助部材とを備え、
前記補助部材の索条通過口およびスリットは、前記節水具本体の索条通過口の開口径およびスリットの開口幅よりも小さく、かつくびれ部を繰り返し有して長手方向に連続した索条のくびれ部のくびれ幅とほぼ同等以下となる厚みの開口縁を有し、
前記補助部材に、下方へ延出する複数本の弾性係止爪部が一体形成されているとともに、前記節水具本体に、前記各弾性係止爪部に対応して複数の係止孔が設けられ、
前記各弾性係止爪部が対応する前記各係止孔に対し上方からそれぞれ挿通されて、その各弾性係止爪部が前記係止孔に弾性係合していることにより、前記節水具本体に前記補助部材が結合されていることを特徴とする水洗トイレ用節水具。
【請求項３】
前記補助部材は、前記節水具本体の索条通過口およびスリットに対応する大きさの凹部を持ち、この凹部の内側に前記開口縁が延出するように設けてある請求項２に記載の水洗トイレ用節水具。
【請求項４】
補助部材は合成樹脂の一体成形品である請求項１〜３のいずれか１項に記載の水洗トイレ用節水具。
【発明の詳細な説明】
【技術分野】
【０００１】
本発明は、水洗トレイに設置されている水タンク内のゴムフロート弁の閉じるタイミングを早めることで節水する水洗トイレ用節水具に関するものである。
【背景技術】
【０００２】
この種の水洗トイレ用節水具は、例えば図９および図１０に示すように、水洗トイレに設置されている水タンク３０内の排水口３１を開閉するゴムフロート弁３２の補助具として用いられる。ゴムフロート弁３２は、レバー３３の操作によって引き上げ索条３４が上方に引っ張られたときに持ち上げられて排水口３１を開放し、水タンク３０内に充満されている水が排水口３１から便器へと流出する。その際に、ゴムフロート弁３２は、上述の持ち上げられた位置から自重によって所定のタイミングで排水口３１を閉じる。ところが、ゴムフロート弁３２が排水口３１を閉じるタイミングは、必要水量の流出に対して遅すぎることがあり、節水が望まれる傾向にある。そこで、従来では、ゴムフロート弁３２における引き上げ索条３４を連結している部分に水洗トイレ用節水具３７を取り付けて、ゴムフロート弁３２が排水口３１を閉じるタイミンを水洗トイレ用節水具３７の重量分だけ早めることにより、流出する水量を少なくするように図っている。
【０００３】
上記水洗トイレ用節水具３７としては、引き上げ索条３４を通す索条通過口と、この索条通過口から外周に達する索条出入りスリットと、このスリットの両側に設けられたピン挿入孔とを有する節水具本体と、上記索条出入りスリットに跨がる状態で両端部が上記各ピン挿入孔に通されてスリットを閉じる外れ止めピンとを組み合わせたものが提案されている（例えば、特許文献１参照）。
【０００４】
また、従来では、図１１および図１２に示すような水洗トイレ用節水具も知られている。この水洗トイレ用節水具３７は、図１１に示すように、円盤状の節水具本体３８と、この節水具本体３８に重ね合わして一体化される補助部材３９とからなる。節水具本体３８および補助部材３９には、各々の中央部に引き上げ索条３４を通す索条通過口４０，４１がそれぞれ開設されているとともに、この索条通過口４０，４１から外周に達する索条出入りスリット４２，４３が形成されており、さらに、節水具本体３８の索条出入りスリット４２の両側における径方向の対向箇所に一対のねじ孔４４が形成されているとともに、補助部材３９の索条出入りスリット４３の両側における径方向の対向箇所に一対の挿通孔４５が形成されている。
【０００５】
上記水洗トイレ用節水具３７は、引き上げ索条３４（図９）を、各索条出入りスリット４２，４３を通じて索条通過口４０，４１に通したのち、図１２に示すように、両索条出入りスリット４２，４３が径方向の両側位置で相対向する相対位置に設定して補助部材３９を節水具本体３８の凹所４６内に嵌め入れ、且つ各挿通孔４５を各ねじ孔４４に合致させて、固定ねじ４７を、挿通孔４５からねじ孔４４に螺合して締結することにより、節水具本体３８と補助部材３９とが一体化されて節水具３７が組み立てられるとともに、この節水具３７が引き上げ索条３４に取り付けられる。この取付状態では、索条出入りスリット４２，４３が、補助部材３９および節水具本体３８における索条出入りスリット４３，４２の存在しない部分によって閉じられた状態となるので、索条通過口４０，４１に通された引き上げ索条３８の取付孔０，４１から索条出入りスリット４２，４３への抜け止めが確実になされる。
【特許文献１】特開平９−２７９６６号公報
【発明の開示】
【発明が解決しようとする課題】
【０００６】
しかしながら、前者の水洗トイレ用節水具は、本体の索条通過口に引き上げ索条３４を通した状態において、帯状の外れ止めピンを、これの２箇所を折り曲げた形状としたのち、その両端部を本体のピン挿入孔に通し、さらに、ピン挿入孔を挿通し終えた両端部分を内方に折り曲げて抜け止め状態となるように本体に取り付けなければならないので、作業性の悪い状態で煩雑な組立および取付作業を行わなければならない。また、外れ止めピンは、取付時の折り曲げによって塑性変形された状態を保持することによってスリットを閉じているだけであるから、水タンク３０内の水中での上下移動を繰り返すことによって上記変形状態を維持できなくなることがあり、その場合には水洗トレイ用節水具３７が引き上げ索条３４から外れるおそれがある。
【０００７】
一方、後者の水洗トイレ用節水具３７は、節水具本体３８、補助部材３９および２本の固定ねじ４７を有しているので、部品点数が多いのに伴ってコスト高となる。また、上記水洗トイレ用節水具３７の取り付けに際しては、引き上げ索条３４を、節水具本体３８および補助部材３９の各々の索条出入りスリット４２，４３から索条通過口４０，４１内に通したのちに、補助部材３９を、各索条出入りスリット４２，４３が径方向の両側で相対向する相対配置に位置決めして節水具本体３８の凹所４６内に嵌め込み、この状態を保持しながら２本の固定ねじ４７をねじ孔４４にねじ込む煩雑な組立作業を要する。したがって、上記水洗トイレ用節水具３７は、煩雑な作業を要して取り付けが容易でない問題がある。すなわち、従来の水洗トイレ用節水具は、何れのものも、複数の部品を組み立てて一体化することによって引き上げ索条に取り付ける構成になっているので、取り付けが容易に行えない。
【０００８】
本発明は前記従来の問題に鑑みてなされたもので、部品点数を削減してコスト低減を図ることができるとともに、引き上げ索条にワンタッチ操作で簡単に取り付けることができる水洗トイレ用節水具を提供することを目的としている。
【課題を解決するための手段】
【０００９】
前記目的を達成するために、本発明の水洗トイレ用節水具は、水タンク内の排水口を開閉するゴムフロート弁に連結される引き上げ索条に取り付けて、前記ゴムフロート弁の閉じるタイミングを早めるものにおいて、中央部に索条通過口を有するとともに、この索条通過口から外周に達するスリットが設けられた節水具本体と、前記節水具本体の上面に重ね合わされて前記節水具本体に結合され、中央部に前記索条通過口に対応する索条通過口を有するとともに、前記スリットに対応して前記索条通過口から外周に達するスリットが設けられた補助部材とを備え、前記補助部材に、前記引き上げ索条の前記スリットから前記索条通過口内への導入を許容し、且つ前記索条通過口から前記スリットへの脱出を阻止する、先端が自由端となった弾性抜け止め片が一体形成され、前記補助部材に、下方へ延出する複数本の弾性係止爪部が一体形成されているとともに、前記節水具本体に、前記各弾性係止爪部に対応して複数の係止孔が設けられ、前記各弾性係止爪部が対応する前記各係止孔に対し上方からそれぞれ挿通されて、その各弾性係止爪部が前記係止孔に弾性係合していることにより、前記節水具本体に前記補助部材が結合されていることを１つの特徴としている。
【００１０】
本発明の水洗トレイ用節水具は、また、 水タンク内の排水口を開閉するゴムフロート弁に連結される引き上げ索条に取り付けて、前記ゴムフロート弁の閉じるタイミングを早める水洗トイレ用節水具において、中央部に索条通過口が、この索条通過口から外周に達するスリットが、それぞれ前記索条が長手方向およびこれに直角な方向のいずれにも遊びを持って通過する大きさで設けられた節水具本体と、前記節水具本体の上面に重ね合わされて前記節水具本体に結合され、中央部に前記索条通過口に対応する索条通過口を有するとともに、前記スリットに対応して前記索条通過口から外周に達するスリットが設けられた補助部材とを備え、前記補助部材の索条通過口およびスリットは、前記節水具本体の索条通過口の開口径およびスリットの開口幅よりも小さく、かつくびれ部を繰り返し有して長手方向に連続した索条のくびれ部のくびれ幅とほぼ同等以下となる厚みの開口縁を有し、前記補助部材に、下方へ延出する複数本の弾性係止爪部が一体形成されているとともに、前記節水具本体に、前記各弾性係止爪部に対応して複数の係止孔が設けられ、前記各弾性係止爪部が対応する前記各係止孔に対し上方からそれぞれ挿通されて、その各弾性係止爪部が前記係止孔に弾性係合していることにより、前記節水具本体に前記補助部材が結合されていることを別の特徴としている。
【００１１】
この場合、前記補助部材は、前記節水具本体の索条通過口およびスリットに対応する大きさの凹部を持ち、この凹部の内側に前記開口縁が延出するように設けたものとすることができる。
【００１２】
また、上記各発明における補助部材は合成樹脂の一体成形品とすることが好ましい。
【発明の効果】
【００１３】
本発明の水洗トイレ用節水具の１つの特徴によれば、節水具本体と補助部材との二つの部品を備えているだけであり、さらに、これらの組み立てに際して、複数本の弾性係止爪部を節水具本体の対応する係止孔に上方から押し込むだけのワンタッチ操作を行うだけでよいから、部品点数並びに組立工数の削減に伴ってコストの低減を図ることができる。また、引き上げ索条を通してゴムフロート弁に取り付けるに際しては、引き上げ索条を、外周からスリット内に挿入させたのちに、索条通過口内に引き込む方向に加圧操作して弾性抜け止め片を内方に撓むように弾性的に変形させることにより、索条通過口内に通すと、変形された弾性抜け止め片が自体の復元力により元の形状に戻ってスリットを閉止し、引き上げ索条の索条通過口からの抜け止めがなされる。したがって、この水洗トイレ用節水具は、従来の水洗トイレ用節水具のように複数の部品を組み立てることによって引き上げ索条に取り付けるものとは異なり、一体物の水洗トイレ用節水具をワンタッチ操作で簡単に引き上げ索条に取り付けることができる。
【００１４】
本発明の水洗トレイ用節水具の別の特徴によれば、前記１つの特徴による場合の弾性抜け止め片に代って、前記補助部材の索条通過口およびスリットの開口縁が、前記節水具本体の索条通過口の開口径およびスリットの開口幅よりも小さく、かつくびれ部を繰り返し有して長手方向に連続した索条のくびれ部のくびれ幅とほぼ同等以下となる厚みであることにより、索条のくびれ部でのスリットを通じた索条通過口に対する出入りを容易にしながら、索条に対する索条通過口およびスリットでの索条の長手方向に直角な向きの遊びを抑制し、索条の長手方向に対する補助部材の移動を索条のくびれ部寸法よりも大きな非くびれ部との間で抑制することが、開口径および開口幅の寸法選択によって必要な程度に実現でき、ゴムフロート弁の開閉動作や、給、排水時の水の流れによっても節水具を索条やゴムフロート弁に対して落ち着かせ、節水作用をより安定して発揮させられるし、異音などの発生もない。
【００１５】
しかも、前記開口縁が、補助部材における前記節水具本体の索条通過口およびスリットに対応する大きさの凹部の内側に延出するように設けたものであると、開口縁以外の部分で節水具本体との結合強度を確保して、しかも、索条のスリットを通じた索条通過口への出入りの容易性を損なわずに、索条と節水具との間の遊びを抑えられる。
【００１６】
また、補助部材を合成樹脂の一体成形品とすれば、所要の弾性力を有していることが必要な弾性抜け止め片および弾性係止爪部を好適に形成することができるともに、高精度な寸法に形成して、節水具本体に対しがたつき無く嵌まり込んだ状態で結合することができる。
【発明を実施するための最良の形態】
【００１７】
以下、本発明の最良の実施の形態について、図１〜図８を参照しながら詳述する。図１は本発明の最良の実施の形態に係る水洗トイレ用節水具を示す分解斜視図、図２は組立完了状態の斜視図である。この水洗トイレ用節水具は、従来の水洗トイレ用節水具を示す図７および図１０で説明したように、水洗トイレに設置されている水タンク３０内の排水口３１を開閉するゴムフロート弁３２に連結される引き上げ索条３４の連結部付近に取り付けて使用されるものである。
【００１８】
上記水洗トイレ用節水具は、図１に示すように、円盤状の節水具本体１と、この節水具本体１の上面に重ね合わせ状態で結合される補助部材２とを備えて構成されている。節水具本体１は、この実施の形態において、亜鉛合金クロムを素材とした金型鋳造品であって、所定の重量、例えば３５ｇ〜４５ｇの重量に設定して形成されている。この節水具本体１は、短筒状となったリング部３の上端開口近傍の内周面に蓋部３が連設されて、ほぼ逆Ｕ字形状の縦断面形状に形成されている。上面部には、リング部３の上端外周縁部と蓋部３とで囲まれた嵌合凹所７が設けられており、この嵌合凹所７の下方には、逆容器状の空間部１２が設けられている。蓋部３には、中央部に引き上げ索条３４（図７）を通す索条通過口８が開設され、この索条通過口８から外周部に達する索条出入りスリット９が蓋部４およびリング部３に開設されている。さらに、蓋部４の外周縁部には、三つの係止孔１０が等間隔（１２０°の角度間隔）の配置で形成されているとともに、蓋部４における索条通過口８に対し径方向の両側で対向する二箇所に、上向きのリブ１１がそれぞれ形成されている。
【００１９】
一方、補助部材２は、合成樹脂の一体成形品であって、節水具本体１の嵌合凹所７内に嵌まり込む外周面を有する円形枠部１３の上端部が蓋部１４で施蓋された外形を有している。蓋部１４の中央部には、節水具本体１の索条通過口８内に嵌まり込む円形の一部が欠除した平面形状を有する短筒状の索条通過口１７が下方に向け突設され、この索条通過口１７の欠除部分から外周部に達する索条出入りスリット１９が蓋部１４および円形枠部１３に開設されている。この索条出入りスリット１９は、節水具本体１の索条出入りスリット９に対応した形状になっている。
【００２０】
そして、索条通過口１７の欠除部には、この欠除部を補完する形状の弾性抜け止め片２１が、一端部を索条通過口に連設された配置で形成されており、この弾性抜け止め片２１の先端は自由端になっている。したがって、上記弾性抜け止め片２１は、索条出入りスリット１９の内方端を閉じる配置で設けられており、特に索条通過口１７の内方に向けた方向に加圧されたときに弾性変形して、引き上げ索条３４のスリット１９から索条通過口１７への導入を許容し、且つ引き上げ索条３４の索条通過口１７からスリット１９への脱出を阻止するように作用する。蓋部１４の下面における径方向の両側で対向する二箇所には、節水具本体１の一対のリブ１１にそれぞれ嵌合する一対のボス１８が突設されている。また、円形枠部１３には、節水具本体１の三つの係止孔１０に係合する弾性係止爪部２０が等間隔の配置で形成されている。
【００２１】
上記水洗トイレ用節水具は、従来の水洗トイレ用節水具のような複数の部品を組み立てることによって引き上げ索条３４に取り付けるものとは異なり、図２の斜視図および図３の平面図に示すように、節水具本体１に保持部材２を結合して一体化した状態で引き上げ索条３４に取り付けられるようになっている。換言すると、上記水洗トイレ用節水具は、図２および図３に示すように一体部品とした形態で販売流通過程に出される。
【００２２】
節水具本体１に補助部材２を取り付けて一体化するに際しては、図１に矢印で示すように、補助部材２の３つの弾性係止爪部２０を節水具本体１の各係止孔１０にそれぞれ対向するよう位置決めして、各弾性係止爪部２０を対応する係止孔１０に圧入しながら保持部材２の円形枠部１３を節水具本体１の嵌合凹所７内に嵌め入れる。このとき、図３のＡ−Ａ線断面図である図４に示すように、各弾性係止爪部２０は、これのガイドテーパー面２０ａが係止孔１０の孔縁部に摺接して内方に屈撓されながら係止孔１０内に進入して、ガイドテーパー面２０ａが係止孔１０を通過し終えた時点で、変形による復元力により下縁部が係止孔１０の孔縁部に係合する。これにより、補助部材２は、係止孔１０と弾性係止爪部２０との係合によって節水具本体１に対し抜け止め状態に結合される。
【００２３】
上記水洗トイレ用節水具は、節水具本体１と補助部材２との二つの部品を備えているだけであり、さらに、これらの組み立てに際しては、上述したように、３本の弾性係止爪部２０を節水具本体１の対応する係止孔１０に上方から押し込むだけのワンタッチ操作を行うだけでよいから、部品点数並びに組立工数の削減に伴ってコストの低減を図ることができる。
【００２４】
また、図２に明示するように、節水具本体１の索条出入りスリット９と補助部材２の索条出入りスリット１９とは、各々の三つの弾性係止爪部１０と係止孔１０との位置決めによって互いに合致した相対位置で重合されている。この重合状態の両索条出入りスリット９，１９は、索条通過口１７との境界部分において弾性抜け止め片２１により閉止されている。図３に示すように、補助部材２の索条出入りスリット１９における弾性抜け止め片２１を支持しない側のスリット壁面の内方端には、外方側へ向け変形しようとする弾性抜け止め片２１の先端を当接させて弾性抜け止め片２１の外方側への変形を阻止する変形抑止段部２２が形成されている。さらに、節水具本体１が鋳造品で、且つ補助部材２が合成樹脂による成形品であって、いずれも高精度な寸法で形成されているから、上述のようにして補助部材２が節水具本体１に一体化されたときには、図３のＢ−Ｂ線断面図である図５に示すように、補助部材２の一対のボス１８に節水具本体１の各リブ１１が自動的に位置決めされて嵌まり込む。これにより、補助部材２は、節水具本体１に対し回り止めされて強固な結合状態で一体化される。
【００２５】
このようにして節水具本体１に補助部材２が一体化された水洗トイレ用節水具を引き上げ索条３４に取り付けるに際しては、引き上げ索条３４を、節水具の外周から重合状態の一対の索条出入りスリット９，１９に挿入させて、引き上げ索条３４が弾性抜け止め片２１に当接した時点で、引き上げ索条３４を索条通過口１７内に引き込む方向に加圧操作することにより、弾性抜け止め片２１が引き上げ索条３４により内方に押圧されて撓むように弾性的に変形され、引き上げ索条３４が索条通過口１７内に入る。変形された弾性抜け止め片２１は、自体の復元力により元の形状に戻って両索条出入りスリット９，１９を閉止するので、引き上げ索条３４の索条通過口１７からの抜け止めがなされる。このように、この水洗トイレ用節水具は、従来の水洗トイレ用節水具のように複数の部品を組み立てることによって引き上げ索条３２に取り付けるものとは異なり、一体物の水洗トイレ用節水具をワンタッチ操作で簡単に引き上げ索条３４に取り付けることができる。
【００２６】
引き上げ索条３４に取り付けられた水洗トイレ用節水具は、図６に示すように、ゴムフロート弁３２上に載置されるが、このとき、ゴムフロート弁３２の一部が節水具本体１の空間部１２に入り込んだ配置で、リング部３の下端周面がゴムフロート弁３２の球状の表面の表面であるにも拘わらずこの表面上に安定した状態で載置されて、保持される。また、図２に示したように、節水具本体１と補助部材２とは、円形枠体１３が嵌合凹所７内にすっぽりと嵌合して収容され、三つの弾性係止爪部２０と係止孔１０との係合によって抜け止めされ、一対のリブ１１とボス１８との嵌合によって回り止めされて一体化されているので、引き上げ索条３２の引っ張りや、それに伴う水タンク３０（図９）内の水流等によって崩れてがたつきを起こすようなおそれが全くない。
【００２７】
また、上記水洗トイレ用節水具は、ゴムフロート弁３２が排水口３１を閉じるタイミングを早めるための重量が主として金属製の節水具本体１により設定されている一方、補助部材２は、合成樹脂の一体成形品であるから、所要の弾性力を有していることが必要な弾性抜け止め片２１および弾性係止爪部２０を好適に形成することができるともに、高精度な寸法に形成して、節水具本体１に対しがたつき無く嵌まり込んだ状態で結合することができる。
【００２８】
図７、図８に示す例は、補助部材２は先の例のような弾性抜け止め片２１を省略してあり、この弾性抜け止め片２１に代えて、その索条通過口１７および索条出入りスリット１９が、前記節水具本体１の索条通過口８の開口径および索条出入りスリット９の開口幅よりも小さく、かつ図７に例示するボールチエンなどのようにくびれ部３４ａを繰り返し有して長手方向に連続した索条３４におけるくびれ部３４ａのくびれ幅、一例として中間くびれ部のくびれ幅Ｂとほぼ同等以下となる厚みＴの開口縁１７ａ、１９ａを有したものとしている。他は、先の例の場合と特に変わるところはないので、共通する部材や部分には同一の符号を付し、重複する図示および説明は省略する。
【００２９】
これによると、先の例の弾性抜け止め片２１に代って、補助部材２における索条通過口１７および索条出入りスリット１９の開口縁１７ａ、１９ａが、節水具本体１における索条通過口８の開口径および索条出入りスリット９の開口幅よりも小さく、かつくびれ部３４ａを繰り返し有して長手方向に連続した索条３４のくびれ幅Ｂとほぼ同等以下となる厚みＴであることにより、索条３４のくびれ部３４ａでの索条出入りスリット１９ａを通じた索条通過口１７ａに対する出入りを容易にしながら、索条３４に対する索条通過口１７および索条出入りスリット１９での索条３４の長手方向に直角な向きの遊びを抑制し、索条３４の長手方向に対する補助部材２の移動を索条３４のくびれ部寸法、特に最小くびれ部寸法Ｄ１よりも大きな寸法Ｄ２（図７）を有した非くびれ部３４ｂとの間で抑制することが、開口径Ｄ３および開口幅Ｂ１（図８）の寸法選択によって必要な程度に実現でき、ゴムフロート弁３２の開閉動作や、給、排水時の水の流れによっても節水具を索条３４やゴムフロート弁３２に対して落ち着かせ、節水作用をより安定して発揮させられるし、異音などの発生もない。
【００３０】
なお、補助部材２は、節水具本体１の索条通過口８およびスリット９に対応する大きさの凹部１７ｂ、１９ｂを持ち、この凹部１７ｂ、１９ｂの内側に前記開口縁１７ａ、１９ａが延出するように設けたものとしてある。このように開口縁１７ａ、１９ａが、補助部材２における節水具本体１の索条通過口８およびスリット９に対応する大きさの凹部１７ｂ、１９ｂの内側に延出するように設けたものであると、開口縁１７ａ、１９ａ以外の部分で節水具本体１との結合強度を確保して、しかも、索条３４のスリット１９を通じた索条通過口１７への出入りの容易性を損なわずに、索条３４と節水具との間の遊びを抑えられる。
【００３１】
図７、図８に示す例では、さらに、索条通過口１７の開口径Ｄ３および索条出入りスリット１９の開口幅Ｂ１のいずれも、索条３４の非くびれ部３４ｂの大きさＤ２よりも小さく、くびれ部３４ａの大きさＤ１よりも大きくしてあり、節水具がその索条通過口１７および索条出入りスリット１９部で、特に、索条通過口１７部で、索条３４に対しその長手方向に移動するのを制限しやすくしている。もっとも、索条出入りスリット１９は索条３４のくびれ部３４ａが十分な余裕を持って索条通過口１７に対し出入りできる十分な開放幅Ｂ１をほぼ全体に確保しながら、途中と、索条通過口１７への開放部とに絞り幅部Ｂ２を設けて索条３４の出入りを制限し、索条３４が万一にも不用意に索条通過口１７から索条出入りスリット１９へ抜けたり、さらに索条出入りスリット１９からも外部へ外れ出たりするようなことを防止している。特に、索条通過口１７への開放部は絞り度を索条３４のくぼみ部寸法Ｄ１未満とした最も狭い部分として、索条３４を一旦索条通過口１７へ入れた後は索条スリット１９へ不用意に抜けるのを十分に防止できるようにしている。索条出入りスリット１９の補助部材外周への開口幅をもっと大きく設定して索条３４を導入しやすくすることもできる。
【００３２】
なお、開口縁１７ａ、１９ａの厚みは０．３ｍｍ前後と薄くしてよく、前記のようにくびれ部寸法Ｄ１よりも小さな開口幅Ｂ１未満とした部分があっても、ゴム材でない通常の樹脂部材によっても索条３４を容易に移動させられる弾性変形が得られる。もっとも、開口縁１７ａ、１９ａは節水具本体１と補助部材２との間に挟み込んだゴムシートなどの別部材によって形成することもでき、場合によっては、図８に示すような切込み１７ｂを索条通過口１７の内周に１つ以上形成することにより、索条出入りスリット１９による切込み状態と協働して、索条通過口１７に位置する索条３４に対してその開口縁１７ａが非くびれ部３４ｂを弾性的に乗り越えての位置調節がより容易に行えるようにすることもできる。
【００３３】
さらに、補助部材２は、節水具本体１の索条通過口８および索条出入りスリット９に対応する大きさの凹部１７ｃ、１９ｃを持ち、この凹部１７ｃ、１９ｃの内側に開口縁１７ａ、１９ａが延出するように設けてある。これにより、開口縁１７ａ、１９ａ以外の部分で節水具本体１との結合強度を確保して、しかも、索条３４の索条出入りスリット１９を通じた索条通過口１７への出入りの容易性を損なわずに、索条３４と節水具との間の遊びを抑えられる。
【産業上の利用可能性】
【００３４】
この水洗トイレ用節水具は、水洗トレイに設置されている水タンク内の引き上げ索条に取り付けることにより、自体の重量分だけブムフロート弁の閉じるタイミングを早めることができるので、水洗トイレでの使用水量を約２０％節約でき、水道水の無駄使いを無くすことができる。
【図面の簡単な説明】
【００３５】
【図１】本発明の一実施の形態に係る水洗トイレ用節水具を示す分解斜視図。
【図２】同上の水洗トイレ用節水具の組立完了状態の斜視図。
【図３】同上の水洗トイレ用節水具の組立完了状態の平面図。
【図４】図３のＡ−Ａ線断面図。
【図５】図３のＢ−Ｂ線断面図。
【図６】同上の水洗トイレ用節水具の使用状態を示す縦断側面図。
【図７】本発明の別の実施の形態に係る水洗トイレ用節水具を示す断面図。
【図８】図７の水洗トレイ用節水具の斜視図。
【図９】従来の水洗トイレ用節水具の使用状態を示す斜視図。
【図１０】図７の主要部の縦断側面図。
【図１１】従来の水洗トイレ用節水具を示す分解斜視図。
【図１２】同上の水洗トイレ用節水具の組立完了状態の斜視図。
【符号の説明】
【００３６】
１  節水具本体
２  補助部材
８  索条通過口
９  索条出入りスリット
１０  係止孔
１１  リブと
１７  索条通過口
１８  ボス
１９  索条出入りスリット
１７ａ、１９ａ  開口縁
１７ｃ、１９ｃ  凹部
２０  弾性係止爪部
２１  弾性抜け止め片
３０  水タンク
３１  排水口
３２  ゴムフロート弁
３４  引き上げ索条
３４ａ  くびれ部
３４ｂ  非くびれ部
【図１】
2005200896.tif 000003
【図２】
2005200896.tif 000004
【図３】
2005200896.tif 000005
【図４】
2005200896.tif 000006
【図５】
2005200896.tif 000007
【図６】
2005200896.tif 000008
【図７】
2005200896.tif 000009
【図８】
2005200896.tif 000010
【図９】
2005200896.tif 000011
【図１０】
2005200896.tif 000012
【図１１】
2005200896.tif 000013
【図１２】
2005200896.tif 000014